(57)【要約】      （修正有）【課題】吊り下げ具を簡便な操作で取り付け具に対して接合させることができ、かつ、強い引っ張り力が加わったときに、構成部材を再生不能な状態に変形させることなく、吊り下げ具を脱離させることができる吊り下げユニットを提供する。【解決手段】対象物を吊り下げる吊り下げ具３０と、吊り下げ具が脱離可能に接合され、鞄に取り付けられる取り付け具５０と、を備え、吊り下げ具と取り付け具の一方に、吊り下げ具と取り付け具の接合方向に沿って延出する舌片部５２が設けられ、吊り下げ具と取り付け具の他方に、舌片部を内部に受容する受容部３９が設けられ、舌片部には、接合方向と交差する交差方向に沿って突出する係合突起部５３が形成され、受容部には、舌片部を受容したときの係合突起部に対応する位置に、係合突起部を係入可能な係合凹部が設けられるとともに、受容された舌片部を交差方向に沿って係合凹部側へ付勢する弾性部材が脱着可能に設けられている。【選択図】図３
0003232964.tif 000002
【実用新案登録請求の範囲】
【請求項１】
対象物を吊り下げる吊り下げ具と、
前記吊り下げ具が脱離可能に接合され、鞄に取り付けられる取り付け具と、を備え、
前記吊り下げ具と前記取り付け具の一方に、前記吊り下げ具と前記取り付け具の接合方向に沿って延出する舌片部が設けられ、
前記吊り下げ具と前記取り付け具の他方に、前記舌片部を内部に受容する受容部が設けられ、
前記舌片部には、前記接合方向と交差する交差方向に沿って突出する係合突起部が形成され、
前記受容部には、前記舌片部を受容したときの前記係合突起部に対応する位置に、前記係合突起部を係入可能な係合凹部が設けられるとともに、受容された前記舌片部を前記交差方向に沿って前記係合凹部側へ付勢する弾性部材が脱着可能に設けられていることを特徴とする吊り下げユニット。
【請求項２】
前記弾性部材は、前記受容部に対して脱着可能に設けられた板ばねであり、
前記板ばねは、前記係合凹部に対向する位置において、前記係合凹部に向かう方向に沿って弾性変形可能に配置される請求項１に記載の吊り下げユニット。
【請求項３】
前記板ばねは、前記受容部に装着されることによって前記受容部の底壁を形成し、前記受容部の入口から内部へ向けて厚みが増大する傾斜案内面を備える請求項２に記載の吊り下げユニット。
【請求項４】
前記吊り下げ具は、前記対象物に設けられた紐材を係止可能なフック部と、前記対象物を吊り下げる方向と直交する方向に伸縮可能なコイルばねと、前記コイルばねの伸縮に応じて変位することによって前記フック部の入口を開閉する開閉材と、を備える請求項１から請求項３のいずれか１項に記載の吊り下げユニット。
【請求項５】
内部に収納物を収納可能な収納部と、
前記収納部の外面に設けられた吊り下げユニットと、を備えた鞄であって、
前記吊り下げユニットは、
対象物を吊り下げる吊り下げ具と、
前記吊り下げ具を脱離可能に保持し、鞄に取り付けられる取り付け具と、を備え、
前記吊り下げ具と前記取り付け具の一方に、他方へ向けて延出する舌片部が設けられ、
前記吊り下げ具と前記取り付け具の他方に、前記舌片部を内部に受容する受容部が設けられ、
前記舌片部には、その厚み方向に沿って突出する係合突起部が形成され、
前記受容部には、前記舌片部を受容したときの前記係合突起部に対応する位置に、前記係合突起部を係入可能な係合凹部が設けられるとともに、受容された前記舌片部を前記厚み方向に沿って前記係合凹部側へ付勢する弾性部材が脱着可能に設けられている
ことを特徴とする鞄。
【考案の詳細な説明】
【技術分野】
【０００１】
本考案は、鞄の外面に取り付けられた状態で袋類等の対象物を吊り下げることができる吊り下げユニット、及び、このような吊り下げユニットを備えた鞄に関し、特に、給食袋、巾着等をランドセルの外側面に吊り下げることを可能とする吊り下げユニット、及び、このような吊り下げユニットを備えたランドセルに関する。
【背景技術】
【０００２】
特許文献１に記載の鞄用なす環は、基板に支軸を突設し、なす環本体に支軸に取り付けるクランパーを備え、クランパーにＣ字状をなし弾力的に開閉する開口部を有する取付け部を設け、取付け部が支軸を挟み込んだ状態で着脱及び回転自在に係合している。
【０００３】
特許文献２に記載の吊下具は、鞄本体に設けられた取付部材に掛止めされる連結部材と、連結部材を介して取付部材に取り付けられるフック体とを具備し、連結部材が、フック体に作用する荷重の方向に応じて首振り動作を行うように構成されるとともに、フック体に一定以上の引張り荷重が作用した場合に変形し又は破壊されてフック体を取付部材に対して離脱させるように強度設定されている。
【先行技術文献】
【特許文献】
【０００４】
【特許文献１】特許２９１９３３７号公報
【特許文献２】特開２０１７−６２９２号公報
【考案の概要】
【考案が解決しようとする課題】
【０００５】
しかしながら、特許文献１に記載の鞄用なす環は、基板に対してクランパーを介してなす環本体を係合する工程が複雑である。また、クランパーに強い引張り力が加わって支軸からクランパーが抜け外れると、変形したクランパー及びなす環本体を再利用することは困難である。
【０００６】
特許文献２に記載の吊下具についても、連結部材を介したフック体の係合工程が複雑であり、また、フック体や連結部材に強い引張り力が加わって変形又は破壊されることで取付部材から脱離すると、変形したフック体や連結部材を再利用することは困難である。
【０００７】
そこで本考案は、対象物を吊り下げる吊り下げ具を、簡便な操作で、鞄に取り付けられる取り付け具に対して接合させることができ、かつ、強い引っ張り力が加わったときの弾性部材の変形によって、構成部材を再生不能な状態に変形させることなく、吊り下げ具を脱離可能とした吊り下げユニット、及び、このような吊り下げユニットを備えた鞄を提供することを目的とする。さらに、本考案は、弾性部材を交換することによって、吊り下げ部と取り付け具との接合強度を規定する弾性力を容易に調整することができ、これにより、吊り下げ具で吊り下げることが想定される対象物に応じて、吊り下げ具を引っ張ったときに取り付け具から脱離させる引っ張り力の設定（接合限界）を簡便に行うことができ、そして、吊り下げ具が強く引っ張られたときの鞄の使用者の安全を容易に確保することができる吊り下げユニット及び鞄を提供することを目的とする。
【課題を解決するための手段】
【０００８】
上記課題を解決するために、本考案の吊り下げユニットは、対象物を吊り下げる吊り下げ具と、吊り下げ具が脱離可能に接合され、鞄に取り付けられる取り付け具と、を備え、吊り下げ具と取り付け具の一方に、吊り下げ具と取り付け具の接合方向に沿って延出する舌片部が設けられ、吊り下げ具と取り付け具の他方に、舌片部を内部に受容する受容部が設けられ、舌片部には、接合方向と交差する交差方向に沿って突出する係合突起部が形成され、受容部には、舌片部を受容したときの係合突起部に対応する位置に、係合突起部を係入可能な係合凹部が設けられるとともに、受容された舌片部を交差方向に沿って係合凹部側へ付勢する弾性部材が脱着可能に設けられていることを特徴としている。
【０００９】
本考案の吊り下げユニットにおいて、弾性部材は、受容部に対して脱着可能に設けられた板ばねであり、板ばねは、係合凹部に対向する位置において、係合凹部に向かう方向に沿って弾性変形可能に配置されることが好ましい。
【００１０】
本考案の吊り下げユニットにおいて、板ばねは、受容部に装着されることによって受容部の底壁を形成し、受容部の入口から内部へ向けて厚みが増大する傾斜案内面を備えることが好ましい。
【００１１】
本考案の吊り下げユニットにおいて、吊り下げ具は、対象物に設けられた紐材を係止可能なフック部と、対象物を吊り下げる方向と直交する方向に伸縮可能なコイルばねと、コイルばねの伸縮に応じて変位することによってフック部の入口を開閉する開閉材と、を備えることが好ましい。
【００１２】
本考案の鞄は、内部に収納物を収納可能な収納部と、収納部の外面に設けられた吊り下げユニットと、を備えた鞄であって、吊り下げユニットは、対象物を吊り下げる吊り下げ具と、吊り下げ具を脱離可能に保持し、鞄に取り付けられる取り付け具と、を備え、吊り下げ具と取り付け具の一方に、他方へ向けて延出する舌片部が設けられ、吊り下げ具と取り付け具の他方に、舌片部を内部に受容する受容部が設けられ、舌片部には、その厚み方向に沿って突出する係合突起部が形成され、受容部には、舌片部を受容したときの係合突起部に対応する位置に、係合突起部を係入可能な係合凹部が設けられるとともに、受容された舌片部を厚み方向に沿って係合凹部側へ付勢する弾性部材が脱着可能に設けられていることを特徴としている。
【考案の効果】
【００１３】
本考案によると、対象物を吊り下げる吊り下げ具を、簡便な操作で、鞄に取り付けられる取り付け具に対して接合させることができ、かつ、強い引っ張り力が加わったときの弾性部材の変形によって、構成部材を再生不能な状態に変形させることなく、吊り下げ具を脱離させることができる。さらに、弾性部材を交換することによって、吊り下げ部と取り付け具との接合強度を規定する弾性力を容易に調整することができる。これにより、想定される対象物に応じて、吊り下げ具を引っ張ったときに取り付け具から脱離させる引っ張り力の設定を簡便に行うことができる。そして、吊り下げ具が強く引っ張られたときの鞄の使用者の安全を容易に確保することができる。
【図面の簡単な説明】
【００１４】
【図１】本考案の実施形態に係るランドセルの構成を示す斜視図である。
【図２】図１における、吊り下げユニット及びその周辺を拡大して示す斜視図である。
【図３】図２に対して、吊り下げ具を取り付け具から脱離した状態を示す斜視図である。
【図４】本考案の実施形態における吊り下げユニットの構成を示す背面図である。
【図５】図４のＶ−Ｖ’線における断面図である。
【図６】本考案の実施形態における板ばねの構成を示す斜視図である。
【図７】本考案の実施形態における取り付け具から吊り下げ具が脱離した状態を示す断面図である。
【図８】本考案の実施形態において取り付け具に吊り下げ具を挿入・接合する過程を示す断面図である。
【考案を実施するための形態】
【００１５】
以下、本考案の実施形態に係る吊り下げユニット及び鞄について図面を参照しつつ詳しく説明する。各図には、基準座標としてＸ−Ｙ−Ｚ座標が示されている。以下の説明において、Ｚ１−Ｚ２方向を上下方向、Ｘ１−Ｘ２方向を前後方向、Ｙ１−Ｙ２方向を左右方向と称する。Ｘ１−Ｘ２方向とＹ１−Ｙ２方向は互いに垂直であり、これらを含むＸ−Ｙ平面はＺ１−Ｚ２方向に垂直である。以下に示す実施形態においては、鞄としてランドセルの例を挙げるが、リュックサックその他の背のうや、手提げ鞄にも適用可能である。
【００１６】
図１は、本実施形態に係るランドセル１０の構成を一部省略して示す斜視図、図２は、図１における、吊り下げユニット２０及びその周辺を拡大して示す斜視図、図３は、図２に対して、吊り下げ具３０を取り付け具５０から脱離させた状態を示す斜視図である。図１と図３においては、吊り下げ具３０に、給食袋等の対象物６０を吊り下げた状態を仮想的に示している。吊り下げ具３０に吊り下げる対象物６０としては、給食袋のほか、例えば、巾着、定期入れ、キーケース、鍵、キーホルダ、携帯電話等の携帯情報端末、呼び笛、ナイフ等の複数のツールを備えたマルチツール、御守りが挙げられる。
【００１７】
図１に示すように、ランドセル１０は、全体として箱状をなす収納部１１を備え、蓋板１２を開くことで収納部１１の上部を開口することが可能であり、収納部１１の内部に教科書や学用品などの収納物を収納することができる。収納部１１の後側（Ｘ２側）には、不図示の一対の背負いベルトが設けられ、この一対の背負いベルトを使用者の左右の肩部にそれぞれ掛け回すことにより、収納部１１は使用者の背中に密着し、使用者に背負われた状態となる。
【００１８】
図１〜図３に示すように、収納部１１の側面１１ａには、前後方向（Ｘ１−Ｘ２方向）に沿って延びる固定帯１３が設けられている。吊り下げユニット２０は、取り付け具５０が固定帯１３に固定され、取り付け具５０に対して吊り下げ具３０が脱離可能に取り付けられる（図２、図３参照）。
【００１９】
以下、図４〜図８を参照しつつ、吊り下げ具３０と取り付け具５０の構成、及び、取り付け具５０に対する吊り下げ具３０の脱離について説明する。図４は、吊り下げユニット２０の構成を示す背面図、図５は、図４のＶ−Ｖ’線における断面図、図６は、板ばね４０の構成を示す斜視図である。図７は、取り付け具５０から吊り下げ具３０が脱離した状態を示す、図５に対応する断面図である。図８（ａ）、（ｂ）、（ｃ）は、取り付け具５０に吊り下げ具３０を挿入・接合する過程を示す断面図であって、（ａ）は取り付け具５０に吊り下げ具３０を挿入していない状態を示し、（ｂ）は取り付け具５０に吊り下げ具３０を挿入した状態を示し、（ｃ）は取り付け具５０に吊り下げ具３０が接合（係合）された状態を示す図である。図８（ａ）、（ｂ）、（ｃ）は、図４のＶＩＩＩ−ＶＩＩＩ’線における断面図である。図６に示す座標は、吊り下げ具３０に組み付けた状態を基準として示している。
【００２０】
＜吊り下げ具３０＞
図２と図３に示すように、吊り下げ具３０は、上下に延びる板状の基材３１を備え、その上部に、取り付け具５０に接合される接合部３２を備え、下部に、対象物６０を吊り下げるためのフック部３３を備える。フック部３３は基材３１の表面から離れるようにＹ２側へ延び、その先端において先端保持部３４が板状に上向きに折り返されている。
【００２１】
図３、図７、及び、図８に示すように、接合部３２は中空構造を有し、上部が開いた空間としての受容部３９を備える。図８に示すように、受容部３９は、接合部３２のＹ２側の主壁部３２ａと、Ｘ１−Ｘ２方向で互いに対向する２つの側壁部３２ｂと、によって囲まれている。
【００２２】
受容部３９は、中央の主空間３９ａと、主空間３９ａのＹ２側に連なる係合凹部３９ｂと、主空間３９ａのＹ１側に連なり、接合部３２の外部へ至る開口部３９ｃと、を備える。係合凹部３９ｂは、接合部３２の主壁部３２ａにおいてＹ２側へ凹設されてなる凹部である。
【００２３】
図５、図７、及び、図８に示すように、開口部３９ｃには、弾性部材としての板ばね４０が脱着可能に配置される。板ばね４０を配置することにより、図４と図８（ａ）、（ｂ）、（ｃ）に示すように、底壁としての板ばね４０によって、開口部３９ｃが閉じられ、受容部３９は上部のみが開口した空間となる。
【００２４】
図６に示すように、板ばね４０は、長板形状の四つの角部を丸めた部材を長手方向中央の折り曲げライン４２ｆで折り曲げてなるものである。図８（ａ）、（ｂ）、（ｃ）に示すように、板ばね４０は、基材３１側に配置される第１面４１と、受容部３９の主空間３９ａ側に配置される第２面４２と、を備える。第２面４２は、吊り下げユニット２０の前側（Ｘ１側）に配置される第１領域４２ａと、後側（Ｘ２側）に配置される第２領域４２ｂと、が折り曲げライン４２ｆで分割されている。第１面４１は、第２面４２に対応して、吊り下げユニット２０の前側（Ｘ１側）に配置される第１領域４１ａと、後側（Ｘ２側）に配置される第２領域４１ｂと、を備える。図６と図８（ａ）、（ｃ）に示すように、板ばね４０は、第２面４２の第１領域４２ａと第２領域４２ｂのそれぞれから折り曲げライン４２ｆへ向かうほど、Ｙ２側へ突出するように全体として折り曲げられている。
【００２５】
図６に示すように、板ばね４０には、第１領域４２ａにおいて厚み方向に貫通する第１孔部４４ａと、第２領域４２ｂを厚み方向に貫通する第２孔部４４ｂと、が設けられている。図８（ａ）、（ｂ）、（ｃ）に示すように、板ばね４０は、第１孔部４４ａに挿入した第１ねじ４３ａと、第２孔部４４ｂに挿入した第２ねじ４３ｂと、をそれぞれ接合部３２の側壁部３２ｂに螺合することによって、接合部３２に固定される。このとき、板ばね４０は、その弾性力により、折り曲げライン４２ｆが受容部３９の主空間３９ａ側へ突出している（図８（ａ））。
【００２６】
板ばね４０は、吊り下げ具３０に強い引っ張り力が作用して取り付け具５０から脱離した場合などに、第１ねじ４３ａと第２ねじ４３ｂを緩めることによって簡便に取り外すことができる。板ばね４０は、想定される対象物６０に応じて、吊り下げ具３０を脱離させる接合限界に対応する弾性力を有するものが選定される。
【００２７】
第１孔部４４ａと第２孔部４４ｂは、受容部３９の開口部３９ｃよりも外側に配置されており、また、板ばね４０の第１面４１は外部へ露出しているため、受容部３９の主空間３９ａ側から板ばね４０に対して外力を加えると、板ばね４０の弾性力に抗して、外部側（Ｙ１側）へ変形させることができる（図８（ｂ）参照）。さらに、受容部３９の主空間３９ａ側からの外力を解除すると、弾性力によって板ばね４０は、主空間３９ａ側へ突出した姿勢へ回復する。板ばね４０は、このような弾性力を有する材料、例えば金属で構成される。
【００２８】
図６に示すように、板ばね４０は、Ｘ１−Ｘ２方向の中央であってＺ２側の先端領域に傾斜案内面４２ｃを備える。傾斜案内面４２ｃは、Ｙ２側からＹ１側へ板ばね４０を見たときに、折り曲げライン４２ｆの延長線に関して線対称となる二等辺三角形状をなしている。板ばね４０は、傾斜案内面４２ｃが取り付け具５０側に位置するように、接合部３２に組み付けられる。傾斜案内面４２ｃは、折り曲げライン４２ｆへ向かって、Ｚ２側からＺ１側へ向かうほどＹ２側へ突出するような傾斜、又は、Ｚ１側へ向かうほど厚みが増すような傾斜、を有する。よって、傾斜案内面４２ｃは、接合部３２に板ばね４０が組み付けられたときに、受容部３９の取り付け具５０側の入口から内部へ向けて傾斜する。
【００２９】
図２と図３に示すように、基材３１において、接合部３２とフック部３３との間には、中空略円筒状で基材３１の表面３１ａから離れるようにＹ２側へ延びる筒状部３５が設けられている。筒状部３５には、Ｙ１−Ｙ２方向に沿って変位可能となるように、筒状部３５と同心状に操作軸部３６が挿通されている。筒状部３５と操作軸部３６は、共通の中心軸３６ｘを有して配置されている。
【００３０】
図５に示すように、操作軸部３６は、Ｙ１側の第１端部３６ａが筒状部３５内に配置され、Ｙ２側の第２端部３６ｂが筒状部３５の外部へ延出している。操作軸部３６の中心軸３６ｘに直交する直径は、第２端部３６ｂよりも第１端部３６ａの方が大きく設定されており、これによって、第１端部３６ａは、操作軸部３６が変位したときに筒状部３５の内壁に当接することで、外部に出ないように抜け止められている。
【００３１】
第１端部３６ａの外縁部には、下方（Ｚ２方向）に延びる長板状の開閉材３７が設けられている。開閉材３７は、操作軸部３６と一体となって、Ｙ１−Ｙ２方向において変位し、最もＹ２側に変位したときに、先端保持部３４の内面に当接することで、基材３１、筒状部３５、開閉材３７、及び、先端保持部３４で囲まれる内部空間３０ａが閉じられる。これにより、フック部３３に吊り下げられた対象物６０は内部空間３０ａで保持される。
【００３２】
これに対して、開閉材３７をＹ１側に変位させると、先端保持部３４から離間するため、フック部３３に吊り下げられた対象物６０は内部空間３０ａから取り出すことが可能となり、又は、吊り下げ具３０の外側にある対象物６０を内部空間３０ａ内へ導入することができる。
【００３３】
筒状部３５内であって第１端部３６ａと基材３１との間には、Ｙ１−Ｙ２方向に沿って伸縮可能となるようにコイルばね３８が配置されている。コイルばね３８は、Ｙ１−Ｙ２方向の両端部が第１端部３６ａの底面３６ｃと基材３１の表面３１ａとにそれぞれ固定されており、操作軸部３６をＹ２方向へ付勢可能な弾性力を有する。コイルばね３８は、このような弾性力を有する材料、例えば金属で構成される。
なお、操作軸部３６をＹ２方向へ付勢する弾性力を有する部材であれば、コイルばね３８以外の付勢部材を用いることもできる。
【００３４】
コイルばね３８を設けたことにより、使用者が操作軸部３６を操作しない状態では、コイルばね３８の弾性力によって操作軸部３６はＹ２方向へ付勢され、開閉材３７が先端保持部３４に当接した状態となって、内部空間３０ａは閉じられる。これにより、内部空間３０ａ内に導入された対象物６０はフック部３３に接触して吊り下げられた状態となる。
【００３５】
一方、使用者が操作軸部３６をＹ１方向へ押すように操作すると、コイルばね３８の弾性力に抗して操作軸部３６がＹ１方向へ変位するため、開閉材３７がフック部３３の先端保持部３４から離間し、内部空間３０ａに対して対象物６０を出し入れ可能な状態となる。
【００３６】
以上の構成の吊り下げ具３０は、コイルばね３８と板ばね４０を除いて、所定の耐久性を有する材料、例えば、硬質のプラスチックや金属で構成される。吊り下げ具３０に求められる耐久性としては、内部空間３０ａに対象物６０を吊り下げたときに、対象物６０の荷重による変形、破損等が生じない耐久性が挙げられる。また、取り付け具５０に接合させた状態では、少なくとも、板ばね４０の弾性力によって設定された、取り付け具５０と吊り下げ具３０との接合限界までに変形、破損等が生じない耐久性が求められる。また、取り付け具５０と吊り下げ具３０との接合限界を超えた所定値まで変形、破損等が生じない耐久性を有する材料で構成すると、強い引っ張り力がかかったときの変形、破損等を抑えることができるため、板ばね４０の確認又は交換のみで再利用することができる。
【００３７】
板ばね４０を交換することによって、吊り下げ具３０と取り付け具５０との接合強度を規定する弾性力を容易に調整することができる。したがって、吊り下げ具３０で吊り下げることが想定される対象物６０の荷重等に応じて、吊り下げ具３０を引っ張ったときに取り付け具５０から脱離する引っ張り力の設定（接合限界）を簡便に行うことができる。そして、吊り下げ具３０が強く引っ張られたときの鞄の使用者の安全を容易に確保することができる。
【００３８】
上記接合限界としては、取り付け具５０と吊り下げ具３０との接合方向に沿って、吊り下げ具３０を引く力の大きさとして規定することができる。接合限界は、吊り下げ具３０で吊り下げる対象物６０として想定される物体の荷重よりも大きく、さらに、対象物６０を吊り下げた状態のランドセル１０を背負った使用者が歩行する際の振動によって生じる荷重よりも大きいことが好ましい。例えば、対象物６０として、給食袋程度の軽量のもの、すなわち１ｋｇ未満のもの、を想定した場合、接合限界としては、２〜３Ｎの荷重を想定するとよい。
【００３９】
＜取り付け具５０＞
図２と図３に示すように、取り付け具５０は、本体５１と、本体５１から下方へ延出する舌片部５２と、を備え、本体５１がランドセル１０の固定帯１３に固定される。取り付け具５０は、吊り下げ具３０と同様の材料、例えば、硬質のプラスチックや金属で構成される。
【００４０】
図４に示すように、取り付け具５０の本体５１の背面（Ｙ１側の面）には、固定帯１３の幅（Ｚ１−Ｚ２方向におけるサイズ）と同一幅を有し、Ｙ２側へ凹設された固定凹部５１ａが設けられている。固定凹部５１ａの略中央には、取り付け具５０を厚み方向（Ｙ１−Ｙ２方向）に貫通する孔部（不図示）が設けられている。この孔部には、図５に示すように、固定ボルト５４の頂部５４ａから延びる軸部５４ｂが挿入される。軸部５４ｂは固定凹部５１ａ内に嵌入配置された固定帯１３を貫通し、収納部１１の側面１１ａの内部に設けたナット１３ａに螺合される。これによって、取り付け具５０は固定帯１３に固定される。
【００４１】
舌片部５２は、本体５１から下側（Ｚ２側）へ、すなわち、吊り下げ具３０との接合方向に沿って延びている。舌片部５２は、吊り下げ具３０の受容部３９の主空間３９ａに嵌入可能な幅（Ｘ１−Ｘ２方向のサイズ）を有する。
【００４２】
舌片部５２は、Ｙ２側の面に、Ｙ２側へ突出する係合突起部５３を備える。係合突起部５３は、Ｘ１−Ｘ２方向に沿って延設されており、吊り下げ具３０の受容部３９の係合凹部３９ｂ内に嵌入可能な形状で突出している。
【００４３】
図８（ｃ）に示すように、舌片部５２は、吊り下げ具３０の受容部３９に挿入したときに、底面５２ａに当接した板ばね４０の弾性力によってＹ２側へ付勢されると、係合突起部５３が係合凹部３９ｂに嵌入するような厚さ（Ｙ１−Ｙ２方向のサイズ）を有する。係合突起部５３は、取り付け具５０に吊り下げ具３０が接合されて吊り下げられたときに、取り付け具５０と吊り下げ具３０との接合限界までに、係合凹部３９ｂから脱離しないような厚み（Ｙ１−Ｙ２方向のサイズ）を有する。
【００４４】
図８（ａ）に示すように、吊り下げ具３０の受容部３９に取り付け具５０の舌片部５２が挿入されていない状態では、板ばね４０は、その弾性力によって折り曲げライン４２ｆがＹ２側へ突出するように屈曲している。
【００４５】
図８（ａ）に示す状態から、舌片部５２を受容部３９内へ挿入すると、舌片部５２の底面５２ａが、板ばね４０の傾斜案内面４２ｃと接触することで、舌片部５２は、Ｙ２側へ変位するように案内されつつ、受容部３９の奥へ進行する。図８（ｂ）に示すように、係合突起部５３が係合凹部３９ｂの位置に達するまでは、係合突起部５３が受容部３９の内壁に接触するため、板ばね４０を平坦にするような力がかかる。
【００４６】
図８（ｂ）に示す状態から、さらに舌片部５２を受容部３９の奥へ挿入すると、図８（ｃ）に示すように、係合突起部５３が係合凹部３９ｂに対応する位置に至り、ここで、板ばね４０の弾性力によって、係合突起部５３が係合凹部３９ｂ内へ係入する。これにより、取り付け具５０と吊り下げ具３０とが互いに接合され、板ばね４０の弾性力と、係合突起部５３及び係合凹部３９ｂの形状と、によって規定される接合限界以上の外力が働かない限り、接合状態が維持される。
【００４７】
一方、上記接合限界を超える外力が吊り下げ具３０にかかった場合には、図８（ｂ）に示すように、板ばね４０の弾性力による、係合凹部３９ｂ内への係合突起部５３の係入状態が解除され、板ばね４０は平坦な状態となる。この状態では、吊り下げ具３０にかかる引っ張り力によって、舌片部５２は受容部３９から容易に脱離する。
【００４８】
以上のように構成されたことから、上記実施形態の吊り下げユニット２０によれば、次の効果を奏する。
（１）板ばね４０を組み付けた吊り下げ具３０の受容部３９に舌片部５２を挿入するという簡便な操作で、吊り下げ具３０と取り付け具５０を互いに接合することができる。
（２）接合限界未満の引っ張り力、外力が吊り下げ具３０にかかった場合には、板ばね４０の弾性力による、係合凹部３９ｂへの係合突起部５３の係合によって、吊り下げ具３０と取り付け具５０との接合が確実に維持される。
（３）接合限界以上の強い引っ張り力が作用した場合は、板ばね４０がその弾性力に抗して変形することで、係合凹部３９ｂと係合突起部５３との係合が解除されて、舌片部５２が受容部３９から脱離可能となる。このため、吊り下げ具３０と取り付け具５０において、板ばね４０以外の構成部材が再生不能な状態に変形又は破壊されることを防ぐことができる。したがって、強い引っ張り力が作用して吊り下げ具３０が取り付け具５０から脱離した後において、部材を交換することなく、又は、板ばね４０のみを交換することにより、再利用することが可能となる。
【００４９】
以下に変形例について説明する。
上記実施形態では、取り付け具５０に舌片部５２を設け、吊り下げ具３０に、舌片部５２を挿入する受容部３９を設けていたが、吊り下げ具側に舌片部を設け、取り付け具側に、舌片部を挿入する受容部を設ける構成でもよい。
【００５０】
上記実施形態では、係合凹部３９ｂと係合突起部５３とを１つずつ設けていたが、互いに対応するように２つ以上ずつ設けても良い。また、係合突起部５３の突出方向は、上記実施形態では、接合方向と直交する方向としていたが、接合方向と交差する方向であればよく、係合凹部３９ｂは係合突起部５３の突出方向に対応した方向に沿って凹設される。
【００５１】
上記実施形態では、板ばね４０の弾性力によって、取り付け具５０と吊り下げ具３０との接合方向と略直交する方向（Ｙ１−Ｙ２方向）に舌片部５２を付勢していたが、付勢方向は、接合方向と交差する方向であればよい。
本考案について上記実施形態を参照しつつ説明したが、本考案は上記実施形態に限定されるものではなく、改良の目的または本考案の思想の範囲内において改良または変更が可能である。
【符号の説明】
【００５２】
１０    ランドセル（鞄）
１１    収納部
１１ａ  側面
１２    蓋板
１３    固定帯
１３ａ  ナット
２０    吊り下げユニット
３０    吊り下げ具
３０ａ  内部空間
３１    基材
３１ａ  基材の表面
３２    接合部
３２ａ  主壁部
３２ｂ  側壁部
３３    フック部
３４    先端保持部
３５    筒状部
３６    操作軸部
３６ａ  第１端部
３６ｂ  第２端部
３６ｃ  底面
３７    開閉材
３８    コイルばね（付勢部材）
３９    受容部
３９ａ  主空間
３９ｂ  係合凹部
３９ｃ  開口部
４０    板ばね（弾性部材）
４１    第１面
４１ａ、４２ａ  第１領域
４１ｂ、４２ｂ  第２領域
４２    第２面
４２ｃ  傾斜案内面
４２ｆ  折り曲げライン
４３ａ  第１ねじ
４３ｂ  第２ねじ
４４ａ  第１孔部
４４ｂ  第２孔部
５０    取り付け具
５１    本体
５１ａ  固定凹部
５２    舌片部
５２ａ  底面
５３    係合突起部
５４    固定ボルト
５４ａ  頂部
５４ｂ  軸部
６０    対象物
【図１】
0003232964.tif 000003
【図２】
0003232964.tif 000004
【図３】
0003232964.tif 000005
【図４】
0003232964.tif 000006
【図５】
0003232964.tif 000007
【図６】
0003232964.tif 000008
【図７】
0003232964.tif 000009
【図８】
0003232964.tif 000010